(57)【要約】【課題】  用いられる環境条件によらず、光による三次元的な像を形成することができると共に、形成された三次元的な像を視認することのできる視認角度が実質的に制限されることのない発光装置であって、立体光像が表示されるディスプレイ装置および光源装置として好適に用いることのできる発光装置を提供すること。【解決手段】  本発明の発光装置は、透明基材よりなる支持体に複数の自己発光型素子が設けられてなる面状体構成要素として備えてなる発光装置であって、前記複数の面状体が、互いに隣り合う面状体が対面するよう配置されてなる積重体よりなることを特徴とする。【選択図】  図４
2005347516.tif 000002
【特許請求の範囲】
【請求項１】
透明基材よりなる支持体に複数の自己発光型素子が設けられてなる面状体よりなることを特徴とする発光装置。
【請求項２】
支持体を構成する透明基材の表面にマウントされた自己発光型素子が光透過性を有する封止材によって封止されてなることを特徴とする請求項１に記載の発光装置。
【請求項３】
選択された自己発光型素子が発光するよう制御する制御手段が設けられていることを特徴とする請求項１または請求項２に記載の発光装置。
【請求項４】
支持体を構成する透明基材が、透明樹脂よりなることを特徴とする請求項１〜請求項３のいずれかに記載の発光装置。
【請求項５】
自己発光型素子がＬＥＤ素子であることを特徴とする請求項１〜請求項４のいずれかに記載の発光装置。
【請求項６】
二次元光像が表示されるディスプレイ装置として用いられることを特徴とする請求項３〜請求項５のいずれかに記載の発光装置。
【請求項７】
光源装置として用いられることを特徴とする請求項１〜請求項５のいずれかに記載の発光装置。
【請求項８】
請求項１〜請求項５のいずれかに記載の発光装置を構成する面状体を構成要素として備えてなる発光装置であって、
前記複数の面状体が、互いに隣り合う面状体が対面するよう配置されてなる積重体よりなることを特徴とする発光装置。
【請求項９】
立体光像が表示されるディスプレイ装置として用いられることを特徴とする請求項８に記載の発光装置。
【請求項１０】
光源装置として用いられることを特徴とする請求項８に記載の発光装置。
【発明の詳細な説明】
【技術分野】
【０００１】
本発明は、ディスプレイ装置および光源装置として好適に用いられる発光装置に関する。
【背景技術】
【０００２】
従来、文字や映像を表示するためのディスプレイ装置としては、液晶表示装置などのその表示部が平面状であるものが広く用いられている。
ディスプレイ装置の或る種のものとしては、複数のＬＥＤ素子が基板の一面に二次元状に配置されてなる構成のものが提案されている（例えば、特許文献１参照。）。
【０００３】
しかしながら、このようなディスプレイ装置においては、ＬＥＤ素子が設けられている基板が光透過性を有するものでないことから、ＬＥＤ素子から基板に向かう方向に放射された光が、基板に吸収されてしまい外方に放射されることがない。故に、例えば、平面状の表示部を有するディスプレイ装置に両面視認性を得るためには、当該表示部の構成を、その一面にＬＥＤ素子が設けられた２枚の基板を互いの他面を対面配置されてなるものとしなければならず、ディスプレイ装置の構成部材が多くなる、という問題がある。また、ＬＥＤ素子から基板に向かう方向に放射される光を利用することによってＬＥＤ素子から外方（基板に向かう方向以外の方向）に放射される光の強度を大きくしようとする場合には、基板におけるＬＥＤ素子がマウントされている一面に光反射層を設けることによって当該基板の一面側における光束利用率を高くしなければならないことから、この光反射層にはＬＥＤ素子の配線を考慮して精密な設計をすることが必要となり、その加工工程において多くの手間や高コストがかかってしまう、という問題がある。
【０００４】
一方、立体的な表示をするためのディスプレイ装置としては、例えばホログラムディスプレイ装置などが用いられている。
しかしながら、ホログラムディスプレイ装置は、ホログラムに光を照射することによって立体的な表示がされる構成を有するものであるために表示環境条件が制限される、という問題がある。
【０００５】
また、立体的な表示をするためのディスプレイ装置の或る種のものとしては、ＬＥＤ素子を備えてなる発光体の複数が三次元状に配置されてなる構成のものが提案されている（例えば、特許文献２参照。）。
このディスプレイ装置は、格子状に配置された、例えばワイヤーなどの細い線状の固定部材の交点の各々に発光体が配設されてなる構成の平面状のパネルの複数が平行に配列されてなる三次元ディスプレイユニットよりなる表示部を有しており、この三次元ディスプレイユニット内においては、各発光体から放射された光を妨げるものが他の発光体および固体部材以外にないことから、当該三次元ディスプレイユニットを構成する殆どの発光体の点滅状態を一見して確認することができるため、立体的な表示を行うことができるものである。
【０００６】
しかしながら、このようなディスプレイ装置においては、発光体が、その一面にＬＥＤ素子が配設された円板状の２つの基板を、互いの他面を接触面として貼り合わせてなる構成を有するものであり、ＬＥＤ素子から基板に向かう方向に放射された光が、基板に吸収され、発光体の放射光として外方に放射されることがないことから、表示部の表示を視認することのできる視認角度に制限が生じてしまう、という問題がある。
【０００７】
【特許文献１】特開２００１−３５１４０４号公報
【特許文献２】特開平８−１６１１３号公報
【発明の開示】
【発明が解決しようとする課題】
【０００８】
本発明は、以上のような事情に基づいてなされたものであって、その第１の目的は、光による二次元的な像を形成することができると共に、容易に両面視認性を得ることができ、また自己発光型素子が設けられている一面側において高い光束利用率を得るための光反射層を容易に設けることができる発光装置であって、二次元光像が表示されるディスプレイ装置および光源装置として好適に用いることのできる発光装置を提供することにある。  本発明の第２の目的は、用いられる環境条件によらず、光による三次元的な像を形成することができると共に、形成された三次元的な像を視認することのできる視認角度が実質的に制限されることのない発光装置であって、立体光像が表示されるディスプレイ装置および光源装置として好適に用いることのできる発光装置を提供することにある。
【課題を解決するための手段】
【０００９】
本発明の第１の発光装置は、透明基材よりなる支持体に複数の自己発光型素子が設けられてなる面状体よりなることを特徴とする。
【００１０】
本発明の第１の発光装置においては、支持体を構成する透明基材の表面にマウントされた自己発光型素子が光透過性を有する封止材によって封止されていてもよい。
【００１１】
本発明の第１の発光装置においては、選択された自己発光型素子が発光するよう制御する制御手段が設けられていることが好ましい。
【００１２】
本発明の第１の発光装置においては、支持体を構成する透明基材が、透明樹脂よりなることが好ましい。
【００１３】
本発明の第１の発光装置においては、自己発光型素子がＬＥＤ素子であることが好ましい。
【００１４】
本発明の第１の発光装置は、二次元光像が表示されるディスプレイ装置として好適に用いられる。
【００１５】
また、本発明の第１の発光装置は、光源装置として好適に用いられる。
【００１６】
本発明の第２の発光装置は、上記のいずれかに記載の第１の発光装置を構成する面状体を構成要素として備えてなる発光装置であって、
前記複数の面状体が、互いに隣り合う面状体が対面するよう配置されてなる積重体よりなることを特徴とする。
【００１７】
本発明の第２の発光装置は、立体光像が表示されるディスプレイ装置として好適に用いられる。
【００１８】
また、本発明の第２の発光装置は、光源装置として好適に用いられる。
【発明の効果】
【００１９】
透明性を有する支持体に複数の自己発光型素子が設けられてなる面状体を備えてなる本発明の第１の発光装置によれば、面状体を構成するすべての自己発光型素子の各々から放射された光が支持体に吸収されることなく当該支持体を透過するため、自己発光型素子から放射された光を有効に利用することができる。具体的には、発光状態とされた自己発光型素子から放射された光による光点の集合体を面状体の両面側から視認することができ、また、複数の自己発光型素子が設けられている面の反対側の面全面に光反射層を設けるという非常に容易な加工によって自己発光型素子から支持体に向かう方向に放射される光を利用して自己発光型素子が設けられている一面側において高い光束利用率を得ることができる。
従って、本発明の第１の発光装置は、容易に両面視認性を得ることができ、また、自己発光型素子が設けられている一面側において高い光束利用率を得るための光反射層を容易に設けることができるものであることから、二次元光像が表示されるディスプレイ装置および光源装置として好適に用いることができる。
【００２０】
透明性を有する支持体に複数の自己発光型素子が設けられてなる面状体を構成要素とし、複数の面状体が、互いに隣り合うもの同士が対面するように配置されている積重体を備えてなる本発明の第２の発光装置によれば、積重体を構成するすべての自己発光型素子の各々から放射された光が支持体に吸収されることなく当該支持体を透過して外方に放射されるため、自己発光型素子から放射された光を、実質的にすべての角度から視認することができる。すなわち、一の面状体を構成する自己発光型素子から放射された光を、他の面状体を介して視認することができるため、積重体を構成する自己発光型素子の点滅状態を一見することによって発光状態とされた自己発光型素子から放射された光による光点の集合体を三次元的にかつ実質的に死角のない状態で確認することができる。しかも、このような特性が使用環境条件によって制限されることがない。
従って、本発明の第２の発光装置は、用いられる環境条件によらず、光による立体的（三次元的）な像を形成することができると共に、形成された三次元的な像を視認することのできる視認角度が実質的に制限されることがなく、このような特性を有するものであることから、立体光像が表示されるディスプレイ装置および光源装置として好適に用いることができる。
【発明を実施するための最良の形態】
【００２１】
以下、本発明の実施の形態について詳細に説明する。
本発明によれば、透明基材よりなる支持体に複数の自己発光型素子が設けられてなる面状体（以下、「特定面状体」ともいう。）よりなる発光装置（第１の発光装置）、および複数の特定面状体が、互いに隣り合うもの同士が対面するように配置された積重体よりなる発光装置（第２の発光装置）が提供される。
【００２２】
＜第１の発光装置＞
図１は、本発明の第１の発光装置の構成の一例の概略を示す説明図であり、図２は、図１の第１の発光装置を構成する面状体における一の発光部要素を拡大して示す説明用断面図である。
この第１の発光装置は、自己発光型素子としてＬＥＤ素子２６が用いられてなるものであり、板状の透明基材２２Ａよりなる支持体２２の一面に複数のＬＥＤ素子２６が互いに隣り合うもの同士が離間した状態で規則的に縦横配列されてなる構成を有する特定面状体２０を備えてなるものである。この特定面状体２０によって形成される面状の発光部（以下、「面状発光部」ともいう。）には、支持体２２に支持された複数のＬＥＤ素子２６が二次元的に配置されており、この複数のＬＥＤ素子２６が発光されることによって光による光点の集合体として、文字および映像などの像（以下、「二次元像」ともいう。）が形成されることとなる。
【００２３】
特定面状体２０は、配線パターン２３Ａが形成されている支持体２２を構成する透明基材２２Ａの一面において、複数のＬＥＤ素子２６が、当該支持体２２の縦方向（図１において上下方向）および横方向（図１において左右方向）の各々に規則的に配列した状態にマウントされ、このマウントされたＬＥＤ素子２６の各々が光透過性を有する封止材（以下、「光透過性封止材」ともいう。）よりなるケース状の封止構造体２９によって封止されることによって形成された発光部要素２５を有するものである。
ここに、配線パターン２３Ａは、第１の発光装置の性能に弊害を生じないものであれば、いかなる構成を有するものであってもよいが、その材質としては、ＩＴＯ（イリジウム・スズ酸化物）などの透明導電性材料を用いることが好ましい。
【００２４】
特定面状体２０における発光部要素２５の各々は、支持体２２の一面にマウントされたＬＥＤ素子２６に給電を行うための、例えば金、アルミニウムなどの金属よりなる給電ワイヤー２７が設けられており、当該給電ワイヤー２７と、ＬＥＤ素子２６とを、封止構造体２９が覆うよう設けられている構成を有するものである。
この図の例においては、ＬＥＤ素子２６はボンディングワイヤー法によってマウントされているが、本発明の発光装置に係る特定面状体においては、これに限定されるものではなく、例えばフィリップチップマウント法などの公知のマウント方法を用いることができる。
【００２５】
このような構成の第１の発光装置には、特定面状体２０を構成する複数のＬＥＤ素子２６のうちの選択されたＬＥＤ素子２６が発光するよう制御する制御手段が設けられていることが好ましい。
また、この制御手段は、複数のＬＥＤ素子２６の各々の点滅状態を時間的に制御する機能を有するものであることが好ましい。
【００２６】
このような制御手段によれば、特定面状体２０を構成するすべてのＬＥＤ素子２６の各々の点滅状態を個別に制御することができ、これにより、当該特定面状体２０よりなる面状発光部において、ＬＥＤ素子２６が発光状態とされた発光部要素２５から放射された光による光点の集合体として、所望の形状を有する二次元像が形成され、また、当該複数のＬＥＤ素子２６の各々の点滅状態を時間的に制御することにより、面状発光部において光点の集合体を連続的に変化させ、二次元像を動的に形成することもできる。
【００２７】
駆動回路としては、例えば図３に示すような構成を有する回路を用いることができる。  図３において、３１はＬＥＤ素子２６に電力を供給するためのデータ信号回路であり、３２はスイッチング素子３３をＯＮ／ＯＦＦ制御するための走査信号回路であり、３４は共通電極である。
【００２８】
このような駆動回路によれば、スイッチング素子３３が閉じている場合には、当該スイッチング素子３３に接続されているＬＥＤ素子２６に対してデータ信号回路３１から電力が供給されるが、一方、スイッチング素子３３が開いている場合には、当該スイッチング素子３３に接続されているＬＥＤ素子２６にはデータ信号回路３１からの電力が供給されることがなく、このように、走査信号回路３２によって複数のＬＥＤ素子２６の各々に接続されているスイッチング素子３３を個別にＯＮ／ＯＦＦ制御することによってＬＥＤ素子２６の点滅状態を制御することができる。
【００２９】
ＬＥＤ素子２６としては、第１の発光装置の用途、特定面状体２０における面状発光部の大きさなどに応じて適宜の大きさのものを用いることができるが、形成される二次元像を高い質を有するものとするためには、小さいサイズのものを用いることが好ましい。
なお、現時点において、ＬＥＤ素子の最小サイズは、一辺が２ｍｍの正方形の領域内に３個をマウントすることのできる大きさである。
【００３０】
また、自己発光型素子としては、ＬＥＤ素子の他、例えば有機エレクトロルミネッセンス素子などを用いることができる。
【００３１】
支持体２２を構成する透明基材２２Ａとしては、例えばガラス、透明樹脂、あるいはガラスと透明樹脂の積層体、透明樹脂同士の積層体などの透明性を有する材料よりなる板状体、シート若しくはフィルムを用いることができるが、軽量でかつ割れにくく、しかも優れた加工性を有し、例えば平面状のものであっても曲面に沿って曲成することなどができる変形性を得ることのできる透明樹脂よりなるもの好ましく用いられる。
【００３２】
また、支持体２２の厚みは、通常、０．０１〜１０ｍｍ、好ましくは０．１〜３ｍｍである。
【００３３】
支持体２２を構成する透明基材２２Ａは、通常、無色透明であることが望ましいが、本発明の第１の発光装置を光源装置として用いる際には、その用途に応じて、例えば微小なフィラーや泡等の光拡散物質が分散されてなるもの、また自己発光型素子がマウントされている面の反対側の面に凹凸が形成されているものなどの光拡散性を有するものであることが好ましい場合もある。
【００３４】
封止構造体２９を構成する光透過性封止材としては、透明樹脂が好適に用いられる。
ここに、本発明の第１の発光装置を光源装置として用いる際には、その用途に応じて、例えば微小なフィラーや泡等の光拡散物質が分散されてなるもの、またその表面に凹凸が形成されているものなどの光拡散性を有するものであることが好ましい場合もある。
【００３５】
第１の発光装置における支持体２２を構成する透明基材２２Ａおよび封止構造体２９（以下、これらを「特定部材」ともいう。）の樹脂材料として用いられる透明樹脂としては、例えば透明エポキシ樹脂、ポリエステル樹脂、ポリカーボネート樹脂、ポリエーテルサルホン樹脂、ポリアリレート樹脂、環状オレフィン系樹脂、ポリフェニレンエーテル系樹脂、有機シロキサン系樹脂などの高い透明性を有すると共に優れた耐熱性を有する樹脂が挙げられる。
これらの中では、透明性および耐熱性に優れ、また吸湿（水）性が低くて得られる特定部材が吸湿（水）変形しにくいものとなる点から、環状オレフィン系樹脂、ポリフェニレン系樹脂および有機シロキサン系樹脂が好ましい。
【００３６】
本発明において用いられる環状オレフィン系樹脂は、少なくとも１種のノルボルネン系化合物を含有する単量体組成物を重合し、また必要に応じてさらに水素添加することによって得られる樹脂である。
【００３７】
このような環状オレフィン系樹脂は、例えば特開昭６１−１１５９１２号公報、特開平１−１３２６２６号公報、特開平２−１０２２２１号公報、特開平２−１３３４１３号公報、特開平４−１７０４２５号公報、特表９−５０８６４９号公報などにその製造方法等が開示されている。
これらの環状オレフィン系樹脂の中では、特に優れた耐熱性を有するものであることから、下記一般式（１）で表される構造単位（以下、「特定の構造単位」ともいう。）を有する環状オレフィン系重合体（以下、「特定の環状オレフィン系重合体」ともいう。）よりなるもの、または特定の環状オレフィン系重合体を含有する架橋性組成物を得、この架橋性組成物を架橋することにより形成される、特定環状オレフィン系重合体の架橋体（以下、「特定の架橋体」ともいう。）よりなるものが好ましい。
【００３８】
【化１】
2005347516.tif 000003
【００３９】
〔式中、Ｒ1 、Ｒ2 、Ｒ3 およびＲ4 は、それぞれ独立に、水素原子、ハロゲン原子、炭素数１〜２０のアルキル基、シクロアルキル基、ハロゲン化炭化水素基、および、加水分解性シリル基、あるいは−（ＣＨ2 ）p −Ｘで表される極性基を示す。また、Ｒ1 とＲ4 とは、一体化してアルキレン基、シクロアルキレン基あるいはアリーレン基を形成していてもよく、更に、Ｒ1 とＲ2 またはＲ1 とＲ4 は、互いに結合して酸無水物、ラクトンあるいはイミドに由来の基を形成していてもよい。ｍは０あるいは１である。
ここで、−（ＣＨ2 ）p −Ｘにおいて、Ｘは−ＣＯＯＲ5 、−ＯＣＯＲ6 または−ＯＲ7 を示し、Ｒ5 、Ｒ6 およびＲ7 は、それぞれ独立に、炭素数１〜１０の炭化水素基、ハロゲン化炭化水素基、あるいはオキセタニル基を含む置換基を表し、ｐは０〜５の整数である。〕
【００４０】
特定の環状オレフィン系重合体は、一般式（１）におけるＲ1 、Ｒ2 、Ｒ3 およびＲ4 の少なくとも１つが加水分解性シリル基である特定の構造単位を含むものであることが好ましい。
特定の環状オレフィン系重合体は、加水分解性シリル基を含有する特定の構造単位を有することにより、架橋体を得やすく、また、得られる透明基材２２Ａに配線パターン２３Ａとの高い密着性が得られ、更にトルエンやシクロヘキサンなどの炭化水素溶媒に対する溶解度が高くなることから、後述する特定部材を得るために用いられる特定の環状オレフィン系重合体を含有する重合体溶液（以下、「オレフィン系重合体溶液」ともいう。）の調製が容易となる。
【００４１】
また、加水分解性シリル基は、下記一般式（２）で表される基（以下、「特定加水分解性シリル基」ともいう。）であることが好ましい。
【００４２】
【化２】
2005347516.tif 000004
【００４３】
〔式中、Ｙは、炭素数１〜１０のアルコキシ基、炭素数１〜１０のアリロキシ基、ハロゲン原子、あるいは互いに結合して５〜７員環を形成する炭素数２〜２０の脂肪族ジオール、脂環族ジオールまたは芳香族ジオールから誘導される基を示し、Ｒ8 は、水素原子あるいは炭素数１〜２０の炭化水素基を示す。ｒは０〜５の整数であり、ｓは１〜３の整数である。〕
【００４４】
以上のような特定の環状オレフィン系重合体よりなる透明樹脂によって支持体２２を構成する透明基材２２Ａを得るための手法としては、特定の環状オレフィン系重合体を、例えば炭化水素溶媒、ハロゲン化炭化水素溶媒、あるいはこれらからなる混合溶媒から選ばれた溶媒中に溶解させたオレフィン系重合体溶液を調製し、このオレフィン系重合体溶液を、例えばガラス基板などに、例えばスピンコーター等の塗布装置を用いる手法やスクリーン印刷等の印刷法を適用する手法によって塗布し、得られた塗膜を乾燥させること、あるいは溶液キャスト法や溶融押出法等の手法などを用いることができる。
また、封止構造体２９は、オレフィン系重合体溶液を封止対象体であるＬＥＤ素子２６および給電ワイヤー２７上に塗布あるいは流延し、得られた膜を乾燥させることによって当該封止対象体を封止する封止構造を形成すること、あるいは特定の環状オレフィン系重合体と、特定のオレフィン系重合体以外の熱可塑性樹脂と配合した配合組成物を得、この配合組成物を成形材料として溶融押出機などを用いる溶融押出法により成形される成形体によって封止対象体を封止する封止構造を形成することなどによって得ることができる。
【００４５】
本発明において用いられるポリフェニレン系樹脂としては、例えば特開２００３−１１３１３６号公報に開示されている、下記一般式（３）で表される構造単位を有する重合体よりなるものが挙げられる。
【００４６】
【化３】
2005347516.tif 000005
【００４７】
〔式中、Ａは、独立に電子吸引性を有する基を示し、Ｂは、独立に電子供与性を有する基を示し、Ｒ9 〜Ｒ16は、それぞれ独立に、フッ素原子またはアルキル基を示し、これらのＲ9 〜Ｒ16は同一であっても異なっていてもよい。ｎは２以上の整数である。〕
【００４８】
以上のようなポフェニレン系樹脂によって支持体２２を構成する透明基材２２Ａを得るための手法としては、ポフェニレン系樹脂をテトラヒドロフランなどの溶剤に溶解させたポフェニレン系樹脂溶液を用いた溶液キャスト法などを挙げることができる。
また、封止構造体２９は、ポリフェニレン系樹脂溶液を封止対象体であるＬＥＤ素子２６および給電ワイヤー２７上に塗布あるいは流延し、得られた膜を乾燥させて当該封止対象体を封止する封止構造を形成することによって得ることができる。
【００４９】
本発明において用いられる有機シロキサン系樹脂は、例えば特許第２６１９２４１号公報に開示されているような樹脂であり、具体的には、下記一般式（４）で表されるオルガノアルコキシシラン（以下、「特定のオルガノアルコシキシラン」ともいう。）を加水分解および重縮合して得られるもの、または特定のオルガノアルコシキシランと、下記一般式（５）で表される化合物との混合物（以下、「特定の混合物」ともいう。）を加水分解および重縮合して得られるものである。
【００５０】
【化４】
2005347516.tif 000006
【００５１】
〔式中、Ｒ17は、炭素数１〜８の有機基を示し、Ｒ18は、炭素数１〜５のアルキル基または炭素数１〜４のアシル基を示す。〕
【００５２】
【化５】
2005347516.tif 000007
【００５３】
〔式中、Ｒ17は、炭素数１〜８の有機基を示し、Ｒ18は、炭素数１〜５のアルキル基または炭素数１〜４のアシル基を示す。〕
【００５４】
一般式（４）および一般式（５）において、Ｒ17は、炭素数１〜８の有機基であり、例えばメチル基、エチル基、ｎ−プロピル基、ｉ−プロピル基などのアルキル基、その他γ−クロロプロピル基、ビニル基、３，３，３−トリフロロプロピル基、γ−グリシドキシプロピル基、γ−メタクリルオキシプロピル基、γ−メルカプトプロピル基、フェニル基、３，４−エポキシシクロヘキシルエチル基、γ−アミノプロピル基などが挙げられる。
【００５５】
また、一般式（４）および一般式（５）において、Ｒ18は、炭素数１〜５のアルキル基または炭素数１〜４のアシル基であり、例えばメチル基、エチル基、ｎ−プロピル基、ｉ−プロピル基、ｎ−ブチル基、ｓｅｃ−ブチル基、ｔｅｒｔ−ブチル基、アセチル基などが挙げられる。
【００５６】
特定のオルガノアルコキシシランの具体例としては、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、γ−クロロプロピルトリメトキシシラン、γ−クロロプロピルトリエトキシシラン、ビニルトリメトキシシラン、ビニルトリエトキシシラン、３，３，３−トリフロロプロピルトリメトキシシラン、３，３，３−トリフロロプロピルトリエトキシシラン、γ−グリシドキシプロピルトリメトキシシラン、γ−グリシドキシプロピルトリエトキシシラン、γ−メタクリルオキシプロピルトリメトキシシラン、γ−メタクリルオキシプロピルトリエトキシシラン、γ−メルカプトプロピルトリメトキシシラン、γ−メルカプトプロピルトリエトキシシラン、フェニルトリメトキシシラン、フェニルトリエトキシシラン、γ−アミノプロピルトリメトキシシラン、３，４−エポキシシクロヘキシルエチルトリメトキシシラン、３，４−エポキシシクロヘキシルエチルトリエトキシシランなどを挙げることができるが、好ましくはメチルトリメトキシシラン、メチルトリエトキシシランである。
これらのオルガノアルコキシシランは、１種単独で、または２種以上を組み合わせて用いることができる。
【００５７】
また、有機シロキサン系樹脂は、両末端にアルコキシ基を有するオルガノポリシロキサンと、両末端に水酸基を有するオルガノポリシロキサンとを、特定のオルガノアルコキシシラン、または特定の混合物に加えて共縮合させなるものであってもよい。
なお、特定のオルガノアルコキシシランは、酸性水媒体中で加水分解反応によってアルコールを遊離すると共に、重縮合反応を生起し有機シロキサン系樹脂を生成する。
【００５８】
また、有機シロキサン系樹脂は、特定のオルガノアルコキシシランとして、一般式（４）において、Ｒ17がビニル基（−ＣＨ＝ＣＨ2 基）である、式（ＣＨ2 ＝ＣＨ）Ｓｉ（ＯＲ18）で表されるビニルトリアルコキシシランをラジカル重合し、更に重縮合反応することによって得られるものであってもよい。
【００５９】
更に、有機シロキサン系樹脂は、両末端にアルコキシ基を有するオルガノポリシロキサンと、両末端に水酸基を有するオルガノポリシロキサンとを重縮合して得られるものであってもよい。
【００６０】
以上のような有機シロキサン系樹脂によって支持体２２を構成する透明基材２２Ａを得るための手法としては、特定のオルガノアルコキシシランまたは特定の混合物を平滑な基板上にキャストし、これらを加水分解および重縮合することによってフィルムまたはシートを形成する手法を用いることができる。
また、封止構造体２９は、特定のオルガノアルコキシシランまたは特定の混合物を封止対象体であるＬＥＤ素子２６および給電ワイヤー２７上に塗布あるいは流延し、得られた膜を乾燥させて当該封止対象体を封止する封止構造を形成することによって得ることができる。
【００６１】
以上のような第１の発光装置によれば、透明性を有する支持体２２に、ＬＥＤ素子２６が封止構造体２９に封止されてなる複数の発光部要素２５が設けられてなる特定面状体２０を備えてなるものであり、この特定面状体２０によって平面状の面状発光部が形成されていることから、この面状発光部に二次元状に配置されている、特定面状体２０を構成するすべてのＬＥＤ素子２６の各々から放射された光が支持体２２および封止構造体２９に吸収されることなく当該支持体２２および封止構造体２９を透過して発光部要素２５の放射光として外方に放射されるため、ＬＥＤ素子２６から放射された光を有効に利用することができ、当該面状発光部に、発光状態とされたＬＥＤ素子２６から放射された光による光点の集合体を形成することができる。
従って、この第１の発光装置は、面状発光部に光による二次元像を形成することができ、この像を、支持体２２の一面側および他面側の両方から確認することができる。
【００６２】
また、この第１の発光装置においては、選択されたＬＥＤ素子２６のみが発光するよう制御する制御手段が設けられることにより、特定面状体２０によって構成される面状発光部に二次元状に配置されている複数のＬＥＤ素子２６の各々を個別に制御することができることから、当該面状発光部において所望の形状を有する二次元像、具体的には文字および映像などを形成することができる。
そして、この制御手段が複数のＬＥＤ素子２６の各々の点滅状態を時間的に制御することのできる機能を有するものである場合には、１種類の静的な二次元像を形成することができることはもちろんのこと、面状発光部において経時的に光点の集合体を変化させることによって動的な二次元像を形成することなどもできる。
【００６３】
本発明の第１の発光装置は、上記の実施の形態に限定されず種々の変更を加えることが可能である。
例えば、第１の発光装置は、図１に示されているように、複数のＬＥＤ素子（自己発光型素子）が平面状の透明基材よりなる支持体上に規則的に縦横配列されてなる構成を有する特定面状体よりなるものに限定されず、透明基材は、例えば曲面状のものであってもよく、また複数の自己発光型素子の配列状態は、発光装置自体に求められる特性や形状などに応じて適宜に設計することができる。
【００６４】
また、第１の発光装置は、図２に示されているように、特定面状体を構成するすべてのＬＥＤ素子（自己発光型素子）の各々が個別に封止構造体に覆われている構成を有するものであってもよいが、特定面状体を構成するすべての自己発光型素子が共通の封止構造体に一括して覆われている構成を有するものであってもよい。このような第１の発光装置によれば、特定面状体を構成するすべての自己発光型素子を１個の封止構造体によって封止することができるため、当該特定面状体の大きさにもよるが、その製造が容易となる場合がある。
【００６５】
また、第１の発光装置は、特定面状体が、赤色光を発光する自己発光型素子（以下、「赤色素子」ともいう。）、緑色光を発光する自己発光型素子（以下、「緑色素子」ともいう。）および青色光を発光する自己発光型素子（以下、「青色素子」ともいう。）の３種類の自己発光型素子を有し、赤色素子と、緑色素子と、青色素子とが独立して制御されてなるものであってもよい。このような第１の発光装置は、フルカラーによる表示が可能となり、また、白色光の光源装置として使用することも可能となる。
【００６６】
また、第１の発光装置は、特定面状体が、その一面にＬＥＤ素子（自己発光型素子）が設けられている支持体の他面に、光反射層が設けられてなる構成のものであってもよい。  光反射層を形成するための手法としては、特に限定されず、支持体の他面に所望の形状の光反射層を形成することのできる方法であればよく、具体的には、例えばシルクスクリーン印刷法によって塗料（インク）による膜を形成する方法、ホトリソ法によってホトレジスト剤によって形成された膜に対してパターンニングを行う方法、スパッタ法、蒸着法および化学気相蒸着法によって膜を形成する方法などを用いることができる。
【００６７】
このような第１の発光装置においては、ＬＥＤ素子から支持体に向かう方向に放射された光は、支持体に吸収されることなく当該支持体を透過し、光反射層によって反射され、再び支持体を透過することにより、ＬＥＤ素子から支持体に向かう方向以外の方向（外方）に放射された光と同様にして外方に放射されることから、ＬＥＤ素子から放射された光を有効に利用することができるため、ＬＥＤ素子が設けられている一面側において高い光束利用率を得ることができ、外方に放射される光の強度を大きくすることができる。
【００６８】
更に、本発明の第１の発光装置は、透明基材よりなる支持体に複数の自己発光型素子が設けられてなる構成の特定面状体よりなるものであればよく、その他の構成においては適宜の設計をすることができる。
【００６９】
以上のような本発明の第１の発光装置は、光源装置として好適に用いることができ、また、特に制御手段が設けられてなる構成のものは、特定面状体よりなる発光部を表示部とし、この表示部に二次元光像が表示されるディスプレイ装置としても好適に用いることができる。
【００７０】
具体的に、光源装置としては、暗所等において用いられる誘導灯、室内照明用の光源装置、装飾用の光源装置、液晶表示素子のバックライトなどとして用いることができる。
【００７１】
誘導灯として用いる場合には、一の特定面状体よりなる表示部によって、当該表示部の両表面、具体的に合計２面方向に同一の誘導表示を行うことができる。
室内照明用の光源装置として用いる場合には、例えば部屋の天井、壁および床の各々の全面に特定面状体を貼り合わせ、これらを照明装置として使用することにより、この部屋の印象を照明の方法によって革命的に変化させることができたり、またショウウインドーの壁に特定面状体を貼り合わせ、これを照明装置として使用することにより、陰の生じない照明を行うことができる。
装飾用の光源装置として用いる場合には、その一例として、例えば支持体を構成する透明基材として平面状であって柔軟性を有するものを用い、立体造形物の表面に沿って特定面状体を、その一部あるいは全部を変形させた状態で貼り合わせること、あるいは立体造形物の表面形状に応じた形状に成形された透明基材を備えてなる特定面状体を貼り合わせることなどによって当該立体造形物を電気装飾することができる。
【００７２】
また、ディスプレイ装置としては、例えば屋内あるいは屋外においてコマーシャル用等に用いられるディスプレイ装置などとして用いることができる。
【００７３】
＜第２の発光装置＞
図４は、本発明の第２の発光装置の構成の一例の概略を示す説明図である。
この第２の発光装置は、自己発光型素子としてＬＥＤ素子が用いられてなるものであり、板状の透明基材２２Ａよりなる支持体２２の一面（図４において右面）に複数のＬＥＤ素子が互いに隣り合うもの同士が離間した状態で規則的に縦横配列されてなる構成（図１参照）を有する複数の特定面状体２０を構成要素とし、この複数の特定面状体２０が、互いに隣り合うもの同士が対面するよう平行に配置されて積重されてなる積重体１０を備えてなるものである。この積重体１０によって形成される空間よりなる発光部（以下、「空間発光部」ともいう。）には、支持体２２に支持された複数のＬＥＤ素子が三次元状に配置されており、この複数のＬＥＤ素子が発光されることによって光による光点の集合体として、文字および映像などの像（以下、「三次元像」ともいう。）が形成されることとなる。
この図の例において、積重体１０を構成する複数の特定面状体２０は、これらの特定面状体２０の上方（図４において上方）および下方（図４において下方）の各々に配置された、特定面状体２０を構成する支持体２２の厚みに適合した幅を有する複数の保持用溝１２Ａが平行に並ぶよう形成された面状体保持部材１２により、この２個の面状体保持部材１２の各々の各保持用溝１２Ａに対応する特定面状体２０の上縁部２１Ａおよび下縁部２１Ｂが係合されることによって保持され、積重体１０が形成されている。この面状体保持部材１２は、例えばガラス、透明樹脂などの透明性を有する材料よりなるものであり、具体的には、第１の発光装置における特定面状体を構成する材料として用いることのできる材料よりなるものである。
【００７４】
積重体１０において、当該積重体１０を構成する特定面状体２０の各々は、互いに隣り合うもの同士が接触した状態で配設されていてもよく、また、離間した状態で配設されていてもよい。
【００７５】
特定面状体２０の各々は、図２に示されている第１の発光装置を構成する特定面状体と同様の構成を有するものであり、配線パターンが形成されている支持体２２を構成する透明基材２２Ａの一面において、複数のＬＥＤ素子が、当該支持体２２の縦方向（図４において上下方向）および横方向（図４において紙面に垂直な方向）の各々に規則的に配列した状態にマウントされ、このマウントされたＬＥＤ素子の各々が光透過性を有する封止材（光透過性封止材）よりなるケース状の封止構造体によって封止されることによって形成された発光部要素２５を有するものである。
ここに、配線パターンは、積重体１０よりなる空間発光部における光の進行を大きく阻害せず、発光装置の性能に弊害を生じないものであれば、いかなる構成を有するものであってもよいが、その材質としては、ＩＴＯ（イリジウム・スズ酸化物）などの透明導電性材料を用いることが好ましい。
【００７６】
積層体１０の構成要素とされる特定面状体２０に係る透明基材２２Ａとしては、第１の発光装置に係る特定面状体２０を構成する透明基材２２Ａとして用いることのできるものを用いることができ、また、積層体１０の構成要素とされる特定面状体２０に係る封止構造体を構成する光透過性封止材としては、第１の発光装置に係る光透過性封止材として用いることのできるものを用いることができる。
【００７７】
また、支持体２２の厚みは、第１の発光装置と同様に、通常、０．０１〜１０ｍｍ、好ましくは０．１〜３ｍｍである。
【００７８】
特定面状体２０の各々においては、当該特定面状体２０を構成する複数のＬＥＤ素子のうちの選択されたＬＥＤ素子が発光するよう制御する制御手段が設けられていることが好ましい。
また、この制御手段は、複数のＬＥＤ素子の各々の点滅状態を時間的に制御する機能を有するものであることが好ましい。
【００７９】
すなわち、発光装置における積重体１０においては、当該積重体１０を構成するすべてのＬＥＤ素子の各々の点滅状態を個別に制御することができ、これにより、当該積重体１０よりなる空間発光部において、ＬＥＤ素子が発光状態とされた発光部要素２５から放射された光による光点の集合体として、所望の形状を有する三次元像が形成され、また、当該複数のＬＥＤ素子の各々の点滅状態を時間的に制御することにより、空間発光部において光点の集合体を連続的に変化させ、三次元像を動的に形成することもできる。
【００８０】
特定面状体２０の各々において、駆動回路としては、例えば図３に示すような構成を有する回路を用いることができる。
【００８１】
このような駆動回路によれば、スイッチング素子３３が閉じている場合には、当該スイッチング素子３３に接続されているＬＥＤ素子２６に対してデータ信号回路３１から電力が供給されるが、一方、スイッチング素子３３が開いている場合には、当該スイッチング素子３３に接続されているＬＥＤ素子２６にはデータ信号回路３１からの電力が供給されることがなく、このように、走査信号回路３２によって複数のＬＥＤ素子２６の各々に接続されているスイッチング素子３３を個別にＯＮ／ＯＦＦ制御することによってＬＥＤ素子２６の点滅状態を制御することができる。
【００８２】
ＬＥＤ素子としては、第２の発光装置の用途、積重体１０の大きさおよび特定面状体２０のＬＥＤ素子マウント領域の大きさなどに応じて適宜の大きさのものを用いることができるが、形成される二次元像を高い質を有するものとするためには、小さいサイズのものを用いることが好ましい。
ここに、「ＬＥＤ素子マウント領域」とは、特定面状体２０のＬＥＤ素子２６がマウントされている一面側全面における、上縁部２１Ａおよび下縁部２１Ｂを除く領域をいう。
【００８３】
また、自己発光型素子としては、第１の発光装置と同様に、ＬＥＤ素子の他、例えば有機エレクトロルミネッセンス素子を用いることができる。
【００８４】
以上のような第２の発光装置によれば、透明性を有する支持体２２に、各々、ＬＥＤ素子が封止構造体に封止されてなる複数の発光部要素２５が設けられてなる積重体１０を備えてなるものであり、この積重体１０によって空間発光部が形成されていることから、この空間発光部に三次元状に配置されている、積重体１０を構成するすべてのＬＥＤ素子の各々から放射された光が支持体２２および封止構造体に吸収されることなく当該支持体２２および封止構造体を透過して外方に放射されるため、ＬＥＤ素子から放射された光を、実質的にすべての角度から視認することができる。すなわち、一の特定面状体２０を構成するＬＥＤ素子から放射された光を、他の特定面状体２０を介して視認することができるため、当該空間発光部を一見することによってＬＥＤ素子が発光状態とされた発光部要素２５から放射された光による光点の集合体を三次元的に、かつ実質的に死角のない状態で確認することができる。
しかも、発光源として自己発光性を有するＬＥＤ素子が用いられていることから、ホログラムディスプレイ装置のように、このＬＥＤ素子の発光が用いられる環境条件に制限されることがないため、このような特性が使用環境条件によって制限されることがない。
従って、この第２の発光装置は、用いられる環境条件によらず、空間発光部に光による三次元像を形成することができると共に、係る三次元像を視認することのできる視認角度が実質的に制限されることがない。
【００８５】
また、この第２の発光装置においては、積重体１０を構成する特定面状体２０の各々に、選択されたＬＥＤ素子のみが発光するよう制御する制御手段が設けられることにより、積重体１０によって構成される空間発光部に三次元状に配置されている複数のＬＥＤ素子の各々を個別に制御することができることから、当該空間発光部において所望の形状を有する三次元像、具体的には文字および映像などを形成することができる。
そして、この制御手段が複数のＬＥＤ素子の各々の点滅状態を時間的に制御することのできる機能を有するものである場合には、１種類の静的な三次元像を形成することができることはもちろんのこと、空間発光部において経時的に光点の集合体を変化させることによって動的な三次元像を形成することなどもできる。
【００８６】
具体的に、図５〜図７に、図４に示した基本的な構成を有し、ＬＥＤ素子マウント領域に支持体２２の縦方向および横方向の各々に等間隔で１２個、合計１４４個のＬＥＤ素子２６（図１参照）がマウントされ、このＬＥＤ素子２６の各々が封止構造体２９（図１参照）によって封止された発光部要素２５が形成され、これらの発光部要素２５の各々におけるＬＥＤ素子２６のうちの選択されたもののみが発光するよう制御する、図３に示した構成の駆動回路よりなる制御手段が設けられてなる構成の合計１２個の特定面状体２０Ａ、２０Ｂ、２０Ｃ、２０Ｄ、２０Ｅ、２０Ｆ、２０Ｇ、２０Ｈ、２０Ｉ、２０Ｊ、２０Ｋ、２０Ｌが、面状体保持部材１２（図１参照）によって保持され、互いに隣り合うもの同士が離間した状態でこの順に平行に等間隔で並ぶよう積重されてなる構成の積重体１０を備えた第２の発光装置により、この積重体１０よりなる空間発光部に三次元像として立方体を形成する場合の一例を示す。
ここに、図５は、第２の発光装置を構成する積重体１０の構成の一例を示す説明用模式図であり、図６は、図５における矢印Ａ方向から見た場合の積重体１０を示す説明用模式図であり、図７は、図５における矢印Ｂ方向から見た場合の積重体１０を示す説明用模式図である。また、図５〜図７の各々においては、ＬＥＤ素子２６が発光状態とされた発光部要素２５から放射された光による光点を黒く塗りつぶした四角点によって表している。
【００８７】
この例の第２の発光装置においては、特定面状体２０Ａ、２０Ｂ、２０Ｃ、２０Ｊ、２０Ｋ、２０Ｌの各々は、すべての発光部要素２５が消灯しており、また、特定面状体２０Ｄ、２０Ｅ、２０Ｆ、２０Ｇ、２０Ｈ、２０Ｉの各々は、支持体２２の横方向の並びを上から順に第１行（図６において一点鎖線で囲まれたＮ1 部分）〜第１２行（図６において一点鎖線で囲まれたＮ12部分）と称し、また縦方向の並びを左から順に第１列（図６において一点鎖線で囲まれたＭ1 部分）〜第１２列（図６において一点鎖線で囲まれたＭ12部分）と称し、第ｎ行目の第ｍ列目に位置する発光部要素２５を「発光部要素（ｎ、ｍ）」と表現すると、発光部要素（４、４）、（４、５）、（４、６）、（４、７）、（４、８）、（４、９）、（５、４）、（５、５）、（５、６）、（５、７）、（５、８）、（５、９）、（６、４）、（６、５）、（６、６）、（６、７）、（６、８）、（６、９）、（７、４）、（７、５）、（７、６）、（７、７）、（７、８）、（７、９）、（８、４）、（８、５）、（８、６）、（８、７）、（８、８）、（８、９）、（９、４）、（９、５）、（９、６）、（９、７）、（９、８）、（９、９）のみが点灯した状態であり、これらの点灯した状態の発光部要素２５の各々から放射された光の光点の集合体によって立方体が形成される。
【００８８】
実際に、例えば図６においては、特定面状体２０Ａを構成するすべての発光部要素２５は消灯されているが、当該特定面状体２０Ａの後方（図６において紙面に垂直な方向）に位置する特定面状体（具体的には特定面状体２０Ｄ、２０Ｅ、２０Ｆ、２０Ｇ、２０Ｈ、２０Ｉ）の発光部要素２５から放射された光を、特定面状体２０Ａを介して視認することができ、これにより、空間発光部に形成されている立方体の存在が確認されている。
また、図７においては、面状体保持部材１２を介して空間発光部に形成されている立方体の存在が確認される。
【００８９】
また、この第２の発光装置においては、駆動回路によって複数のＬＥＤ素子２６の各々の点滅状態が時間的に制御されているため、１種類の静的な三次元像を形成することができることはもちろんのこと、空間発光部において経時的に光点の集合体を変化させることによって動的な三次元像を形成することもできる。
【００９０】
本発明の第２の発光装置は、上記の実施の形態に限定されず種々の変更を加えることが可能である。
例えば、第２の発光装置においては、積層体は、複数の特定面状体が互いに隣り合うもの同士が対面するよう配置されてなる構成を有するものであればよく、図４に示したように、すべての特定面状体が平行に配置されてなる構成のものに限定されるものではない。  ここに、互いに隣り合う特定面状体が対面するよう配置されている状態とは、隣り合う特定面状体の各々の一の面の少なくとも一部が向き合っている状態を示し、複数の特定面状体がその厚み方向に角度をもって並べられて積重されてなる状態を包含する。
【００９１】
具体的には、例えば図８に示すように、第２の発光装置を構成する積重体は、複数の特定面状体４０の各々が、一辺を接触させた状態で放射状に配置されてなる構成のものであってもよい。
図８において、４１は透明基材４１Ａよりなる支持体であり、４３は自己発光型素子である。
また、図９に示すように、第２の発光装置を構成する積重体は、複数の特定面状体４５の各々が、互いに隣り合うもの同士の面がその一部分において対面するよう配置されてなる構成のものであってもよい。
図９において、４６は透明基材４６Ａよりなる支持体であり、４８は自己発光型素子である。
【００９２】
また、第２の発光装置は、複数のＬＥＤ素子（自己発光型素子）が平面状の透明基材よりなる支持体上に規則的に縦横配列されてなる構成を有する特定面状体よりなるものに限定されず、透明基材は、例えば曲面状のものであってもよく、また複数の自己発光型素子の配列状態は、発光装置自体に求められる特性や形状などに応じて適宜に設計することができる。
【００９３】
また、第２の発光装置は、図４に示されているように、特定面状体を構成するすべてのＬＥＤ素子（自己発光型素子）の各々が個別に封止構造体に覆われている構成を有するものであってもよいが、特定面状体を構成するすべての自己発光型素子が共通の封止構造体に一括して覆われている構成を有するものであってもよい。このような第２の発光装置によれば、特定面状体の各々において１個の封止構造体によってすべての自己発光型素子を封止することができるため、当該特定面状体の大きさにもよるが、その製造が容易となる場合がある。
【００９４】
また、図１０に示すように、第２の発光装置は、特定面状体５０が、自己発光型素子５６が支持体５１を構成する２つの透明基材５１Ａ、５１Ｂによって挟持されてなる構成を有するものであってもよい。
図１０において、特定面状体５０は、支持体５１に配線パターンが形成されてなる構成を有するものである場合には、支持体５１を構成する一方の透明基材にのみ配線パターンが形成されなるものであっても、両方の透明基材に配線パターンが形成されてなるものであってもよい。また、５８は支持体５１の厚みに適合した幅を有する保持用溝５８Ａが形成された面状体保持部材である。
このような第２の発光装置によっても、用いられる環境条件によらず、光による三次元像を形成することができ、係る三次元像を視認することのできる視認角度が実質的に制限されることがない。
【００９５】
また、第２の発光装置は、特定面状体が、赤色光を発光する自己発光型素子（赤色素子）、緑色光を発光する自己発光型素子（緑色素子）および青色光を発光する自己発光型素子（青色素子）の３種類の自己発光型素子を有し、赤色素子と、緑色素子と、青色素子とが独立して制御されてなるものであってもよい。このような第２の発光装置は、フルカラーによる表示が可能となり、また、白色光の光源装置として使用することも可能となる。
【００９６】
更に、本発明の第２の発光装置は、複数の特定面状体が、互いに隣り合うもの同士が対面するよう配置されてなる構成の積重体よりなるものであればよく、その他の構成においては適宜の設計をすることができる。
【００９７】
以上のような本発明の第２の発光装置は、光源装置として好適に用いることができ、また、特に制御手段が設けられてなる構成のものは、光による三次元像を形成することができるという特性を有することから、積重体よりなる空間発光部を表示部とし、この表示部に立体光像が表示されるディスプレイ装置として好適に用いることができる。
【００９８】
具体的に、光源装置としては、イルミネーションなどの装飾用の光源装置、室内照明用の光源装置、屋外照明用の光源装置、あるいは標示灯などとして用いることができる。
【００９９】
また、ディスプレイ装置としては、例えば屋内あるいは屋外においてコマーシャル用等に用いられるディスプレイ装置、住宅、自動車、携帯電話等の各種の商品開発時などにおいて三次元バーチャルモデルを示すために用いられるディスプレイ装置、コンピューター断層撮影装置（ＣＴスキャン）、磁気共鳴診断装置（ＭＲＩ）等によって得られる三次元データの出力用に用いられるディスプレイ装置などとして用いることができる。
【図面の簡単な説明】
【０１００】
【図１】本発明の第１の発光装置の構成の一例の概略を示す説明図である。
【図２】図１の第１の発光装置を構成する面状体における一の発光部要素を拡大して示す説明用断面図である。
【図３】図１の第１の発光装置を構成する面状体における駆動回路の構成を示す説明図である。
【図４】本発明の第２の発光装置の構成の一例の概略を示す説明図である。
【図５】本発明の第２の発光装置を構成する積重体の構成の一例を示す説明用模式図である。
【図６】図５における矢印Ａ方向から見た場合の積重体を示す説明用模式図である。
【図７】図５における矢印Ｂ方向から見た場合の積重体を示す説明用模式図である。
【図８】本発明の第２の発光装置を構成する積重体の構成の他の例を示す説明用模式図である。
【図９】本発明の第２の発光装置を構成する積重体の構成の更に他の例を示す説明用模式図である。
【図１０】本発明の第２の発光装置の構成の他の例の概略を示す説明図である。
【符号の説明】
【０１０１】
１０    積重体
１２    面状体保持部材
１２Ａ    保持用溝
２０、２０Ａ、２０Ｂ、２０Ｃ、２０Ｄ、２０Ｅ、２０Ｆ、２０Ｇ、２０Ｈ、２０Ｉ、２０Ｊ、２０Ｋ    特定面状体
２１Ａ    上縁部
２１Ｂ    下縁部
２２    支持体
２２Ａ    透明基材
２３Ａ    配線パターン
２５    発光部要素
２６    ＬＥＤ素子
２７    給電ワイヤー
２９    封止構造体
３１    データ信号回路
３２    走査信号回路
３３    スイッチング素子
３４    共通電極
４０    特定面状体
４１    支持体
４１Ａ    透明基材
４３    自己発光型素子
４５    特定面状体
４６    支持体
４６Ａ    透明基材
４８    自己発光型素子
５０    特定面状体
５１    支持体
５１Ａ、５１Ｂ    透明基材
５６    自己発光型素子
５８    面状体保持部材
５８Ａ    保持用溝
【図１】
2005347516.tif 000008
【図２】
2005347516.tif 000009
【図３】
2005347516.tif 000010
【図４】
2005347516.tif 000011
【図５】
2005347516.tif 000012
【図６】
2005347516.tif 000013
【図７】
2005347516.tif 000014
【図８】
2005347516.tif 000015
【図９】
2005347516.tif 000016
【図１０】
2005347516.tif 000017